(57)【要約】【課題】隔壁欠損が少ない、高品質な表示画像のプラズマディスプレイパネル（ＰＤＰ）を実現することを目的とする。【解決手段】金属電極を備えた表示電極対を有する前面板と、データ電極３２および隔壁３４を有する背面板とを、表示電極対とデータ電極３２とが交差するように対向配置して放電セルを形成したＰＤＰであって、隔壁３４はデータ電極３２に平行に配列された複数の縦隔壁３４ｂと、縦隔壁３４ｂに交差して井桁状の隔壁３４を構成する縦隔壁３４ｂの高さより低い高さの複数の横隔壁３４ａとを備え、縦隔壁３４ｂのうち金属電極が対向して交差する金属電極交差部５０の幅を金属電極交差部５０以外の幅より広くする。【選択図】図４
2008123938.tif 000002
【特許請求の範囲】
【請求項１】
金属電極を備えた表示電極対を有する前面板と、データ電極および隔壁を有する背面板とを、前記表示電極対と前記データ電極とが交差するように対向配置して放電セルを形成したプラズマディスプレイパネルであって、
前記隔壁は前記データ電極に平行に配列された複数の縦隔壁と、前記縦隔壁に交差して井桁状の隔壁を構成する前記縦隔壁の高さより低い高さの複数の横隔壁とを備え、前記縦隔壁のうち前記金属電極が対向して交差する金属電極交差部の幅を前記金属電極交差部以外の幅より広くしたことを特徴とするプラズマディスプレイパネル。
【請求項２】
前記金属電極交差部の底部の幅を前記金属電極交差部以外の底部の幅より広くしたことを特徴とする請求項１記載のプラズマディスプレイパネル。
【請求項３】
金属電極を備えた表示電極対を有する前面板と、データ電極および隔壁を有する背面板とを、前記表示電極対と前記データ電極とが交差するように対向配置して放電セルを形成したプラズマディスプレイパネルであって、
前記隔壁は前記データ電極に平行に配列された複数の縦隔壁と、前記縦隔壁に交差して井桁状の隔壁を構成する複数の横隔壁とを備え、前記横隔壁の高さが前記縦隔壁の高さより高いことを特徴とするプラズマディスプレイパネル。
【発明の詳細な説明】
【技術分野】
【０００１】
本発明は表示デバイスとして知られるプラズマディスプレイパネルに関するものである。
【背景技術】
【０００２】
近年、双方向情報端末として大画面、壁掛けテレビへの期待が高まっており、そのための表示デバイスとして、液晶表示パネル、フィールドエミッションディスプレイ、エレクトロルミネッセンスディスプレイなどの数多くのものがある。これらの表示デバイスの中でもプラズマディスプレイパネル（以下、「ＰＤＰ」と記す）は、自発光型で美しい画像表示ができ、大画面化が容易であるなどの理由から、視認性に優れた薄型表示デバイスとして注目されており、高精細化および大画面化に向けた開発が進められている。
【０００３】
ＰＤＰは表示電極対、誘電体層、酸化マグネシウム（ＭｇＯ）による保護層などの構成物を形成した前面板と、データ電極、下地誘電体層、隔壁、蛍光体層などの構成物を形成した背面板とを、内部に微小な放電セルを形成するように対向配置されるとともに、周囲を封着部材により封止されている。そして、その放電セルにネオン（Ｎｅ）およびキセノン（Ｘｅ）などを混合してなる放電ガスを、例えば６６５００Ｐａ（約５００Ｔｏｒｒ）程度の圧力で封入している。
【０００４】
ここで蛍光体層は、隔壁の側面および隔壁に挟まれた下地誘電体層の上に塗布されて形成される。またＰＤＰの輝度としては、この蛍光体層の塗布面積が増えるほど高くなる。そこでＰＤＰの輝度を高めるために、隔壁の形状を従来の背面板の電極に平行な縦隔壁だけの形状から、縦隔壁と横隔壁とを交差させた井桁状にすることが提案されている（例えば、特許文献１参照）。これは、横隔壁を設けることで横隔壁の側面への蛍光体層の塗布面積を増やすことが目的である。また、製造時の蛍光体層の形成を容易にするために、横隔壁の高さを縦隔壁の高さより低くしている。
【特許文献１】特開２００３−２６３９５７号公報
【発明の開示】
【発明が解決しようとする課題】
【０００５】
上述したように、ＰＤＰの前面板は、表示電極対を覆って誘電体層を形成し、誘電体層を覆って保護層を形成している。ここで表示電極対の一部には、配線抵抗を下げる目的の膜厚の厚い金属電極を用いるために、その金属電極が形成された位置の保護層が膨らみ前面板と背面板とを対向させたとき、この膨らんだ保護層の部分と縦隔壁とが局所的に接触することが多い。
【０００６】
このような状態でＰＤＰに運搬時などの振動や衝撃が加わると、保護層が接触している箇所の縦隔壁が一部欠損する場合があった。縦隔壁が一部欠損すると、その縦隔壁で隣接している放電セルが誤放電を起こす場合や、蛍光体層上に縦隔壁の欠片が残ることによる発光時の点欠陥が発生していた。
【０００７】
本発明は上記課題に鑑みてなされたものであり、隔壁欠損が少ない、高品質な表示画像のＰＤＰを実現することを目的とする。
【課題を解決するための手段】
【０００８】
上記の目的を達成するために、本発明のＰＤＰは、金属電極を備えた表示電極対を有する前面板と、データ電極および隔壁を有する背面板とを、表示電極対とデータ電極とが交差するように対向配置して放電セルを形成したＰＤＰであって、隔壁はデータ電極に平行に配列された複数の縦隔壁と、縦隔壁に交差して井桁状の隔壁を構成する縦隔壁の高さより低い高さの複数の横隔壁とを備え、縦隔壁のうち金属電極が対向して交差する金属電極交差部の幅を金属電極交差部以外の幅より広くした構成である。
【０００９】
このような構成のＰＤＰとすれば、縦隔壁のうちの金属電極交差部は幅を広くして強度を向上させるとともに接着性を高めている。そのため、金属電極交差部に金属電極が接触した状態で、ＰＤＰに振動や衝撃が加わっても、隔壁欠損が少なく、高品質な表示画像のＰＤＰを実現することができる。
【００１０】
また本発明のＰＤＰは、金属電極交差部の底部の幅を金属電極交差部以外の底部の幅より広くしてもよい。
【００１１】
このような構成のＰＤＰとすれば、金属電極交差部において強度を向上させることができる。また放電空間を広くすることができ、より輝度の向上を図ることができる。
【００１２】
さらに本発明のＰＤＰは、金属電極を備えた表示電極対を有する前面板と、データ電極および隔壁を有する背面板とを、表示電極対とデータ電極とが交差するように対向配置して放電セルを形成したＰＤＰであって、隔壁はデータ電極に平行に配列された複数の縦隔壁と、縦隔壁に交差して井桁状の隔壁を構成する複数の横隔壁とを備え、横隔壁の高さが縦隔壁の高さより高い構成である。
【００１３】
このような構成のＰＤＰとすれば、横隔壁と前面板とが接触し、金属電極が縦隔壁と接触することがない。したがって、隔壁をもっとも欠損させやすい金属電極の箇所が隔壁に接触することがないため、隔壁欠損が少ない、高品質な表示画像のＰＤＰを実現することができる。
【発明の効果】
【００１４】
以上のように、本発明のＰＤＰによれば、前面板と背面板とを対向配置して封止した場合、縦隔壁の金属電極交差部における欠損を抑制することが可能となり、高品質の画像表示を実現するＰＤＰを提供することができる。
【発明を実施するための最良の形態】
【００１５】
以下、本発明の実施の形態におけるＰＤＰについて、図面を用いて説明する。
【００１６】
（第１の実施の形態）
図１は、本発明の第１の実施の形態のＰＤＰの概略構成を示す断面斜視図である。
【００１７】
図１において、ＰＤＰ１０は、前面板２０と背面板３０とから構成され、前面板２０と背面板３０とは放電空間４０を形成するように対向配置されている。前面板２０は、フロート法により形成された硼珪素ナトリウム系ガラスなどの前面ガラス基板２１上に、金属電極を備えた走査電極２２と維持電極２３とで対をなすストライプ状の複数の表示電極対２４が形成されている。また、隣接する表示電極対２４の間には、光遮蔽部となるブラックストライプ２５が形成されている。また、表示電極対２４とブラックストライプ２５とを覆って誘電体層２６が形成され、さらに誘電体層２６を覆って酸化マグネシウム（ＭｇＯ）からなる保護層２７が形成されている。
【００１８】
一方、背面板３０は、背面ガラス基板３１上に、前面板２０の表示電極対２４と直交する方向にデータ電極３２が形成され、データ電極３２を覆って下地誘電体層３３が設けられている。また、下地誘電体層３３上には、横隔壁と縦隔壁とが交差する井桁状の隔壁３４が設けられ、隔壁３４の側面と下地誘電体層３３の表面には蛍光体層３５が設けられている。蛍光体層３５は隣接する隔壁３４によって仕切られた放電空間４０に、それぞれ赤色に発光する赤色蛍光体層３５Ｒ、緑色に発光する緑色蛍光体層３５Ｇ、および青色に発光する青色蛍光体層３５Ｂにより構成されている。また放電セルとは、データ電極３２と表示電極対２４とが交差し、隔壁３４で囲まれた領域である。
【００１９】
次に、ＰＤＰ１０の製造方法について説明する。
【００２０】
まず、前面ガラス基板２１上に、走査電極２２および維持電極２３を構成する透明電極が、フォトリソグラフィ法などを用いてパターニングして形成される。そして、ブラックストライプ２５、および透明電極上に金属電極であるバス電極となるそれぞれのペースト層が、フォトリソグラフィ法、スクリーン印刷などで形成される。ここでバス電極の材料は、導電性黒色粒子、あるいは銀（Ａｇ）材料を含むペーストであり、ブラックストライプ２５の材料も、黒色顔料を含むペーストである。
【００２１】
次に、バス電極、およびブラックストライプ２５となるそれぞれのペースト層を覆うように、誘電体ペーストをダイコート法などにより塗布して、誘電体層２６となる誘電体ペースト層を形成する。誘電体ペーストを塗布した後、所定の時間放置することによって塗布された誘電体ペースト表面が、レベリングされて平坦な表面になる。その後、バス電極のペースト層、ブラックストライプ２５のペースト層、誘電体ペースト層を一括して焼成する工程により、走査電極２２、維持電極２３、ブラックストライプ２５、および誘電体層２６が形成される。ここで、誘電体ペーストは、粉末の誘電体ガラスフリット、バインダおよび溶剤を含む塗料である。
【００２２】
次に、誘電体層２６上に酸化マグネシウム（ＭｇＯ）からなる保護層２７を、真空蒸着法により形成する。以上の工程により、前面ガラス基板２１上に所定の構成部材が形成されて前面板２０が完成する。
【００２３】
背面板３０は、次のようにして形成される。まず、背面ガラス基板３１上に、銀（Ａｇ）材料を含むペーストをスクリーン印刷する方法や、金属膜を全面に形成した後、フォトリソグラフィ法を用いてパターニングする方法などにより、データ電極３２用の構成物となる材料層を形成する。そして、その材料層を所望の温度で焼成してデータ電極３２を形成する。
【００２４】
次に、データ電極３２が形成された背面ガラス基板３１上に、ダイコート法などによりデータ電極３２を覆うように誘電体ペーストを塗布して、誘電体ペースト層を形成する。その後、誘電体ペースト層を焼成することにより、下地誘電体層３３を形成する。なお、誘電体ペーストは、粉末の誘電体ガラスフリットと、バインダ、および溶剤を含んだ塗料である。
【００２５】
次に、下地誘電体層３３上に隔壁材料を含む隔壁形成用ペーストを塗布し、所定の形状にパターニングして隔壁材料層を形成し、その後、焼成することにより、隔壁３４を、例えば横隔壁を１００μｍ、縦隔壁を１２０μｍの高さに形成する。ここで、下地誘電体層３３上に塗布した隔壁用ペーストをパターニングする方法としては、フォトリソグラフィ法や、サンドブラスト法を用いることができる。
【００２６】
次に、隣接する隔壁３４間の下地誘電体層３３上、および隔壁３４の側面に、蛍光体材料を含む蛍光体ペーストを塗布し、焼成することにより、蛍光体層３５が形成される。以上の工程により、背面ガラス基板３１上に所定の構成部材が形成されて、背面板３０が完成する。
【００２７】
このようにして、所定の構成部材を備えた前面板２０と背面板３０とを、表示電極対２４とデータ電極３２とが直交するように対向配置して、その周囲を封着部材で封着し、放電空間４０内にネオン（Ｎｅ）、キセノン（Ｘｅ）などを含む放電ガスを６６５００Ｐａ（５００Ｔｏｒｒ）程度の圧力で封入することでＰＤＰ１０が完成する。そして、表示電極対２４に映像信号電圧を選択的に印加することによって放電ガスを放電させ、それによって発生した紫外線が各色の蛍光体層３５を励起して、赤色、緑色、青色の各色を発光させることによりカラー画像を表示する。
【００２８】
次に、放電セルでの前面板２０と、背面板３０との配置状態について説明する。図２は、本発明の第１の実施の形態のＰＤＰの放電セルの平面図、図３は図２のＡ−Ａ線断面図である。
【００２９】
前面板２０に設けられた表示電極対２４を構成する走査電極２２および維持電極２３は、上述したように、それぞれ透明電極２２ａ、２３ａ、およびバス電極２２ｂ、２３ｂにより構成されている。バス電極２２ｂ、２３ｂはクロム（Ｃｒ）／銅（Ｃｕ）／クロム（Ｃｒ）または銀（Ａｇ）などの材料からなり、それぞれ透明電極２２ａ、２３ａに電気的に接続されている。
【００３０】
図２は、ＰＤＰ１０の前面板２０側からみた平面図である。走査電極２２と維持電極２３は、マトリクス表示の各ラインにおいて、放電ギャップ４３を挟んで隣接するように列方向に交互に配列されている。
【００３１】
また、隔壁３４は横隔壁３４ａと縦隔壁３４ｂとにより構成されている。そして隔壁３４によって区画され表示電極対２４とデータ電極３２とが直交する部分を中心とした方形の領域により、単位発光領域としての放電セル４１を構成している。放電セル４１は隣接する放電セル４１間が非放電領域４２を形成し、前面板２０の保護層２７上のこの領域にはコントラストを向上させる目的のブラックストライプ２５が形成されている。
【００３２】
図３に示すように、表示電極対２４の走査電極２２と維持電極２３を構成するバス電極２２ｂ、２３ｂは導電性を確保するために、透明電極２２ａ、２３ａに比べて膜厚が厚い厚膜形成法で形成されている。したがって、その上を覆って形成した誘電体層２６や保護層２７が盛り上がり、突出部４４を生じている。そして、この状態の前面板２０に背面板３０を対向配置して封止すると、図２に示すように、バス電極２２ｂ、２３ｂの突出部４４と、縦隔壁３４ｂのうちの金属電極交差部５０とが当接する。
【００３３】
図４は、本発明の第１の実施の形態のＰＤＰの隔壁の斜視図である。隔壁３４は、データ電極３２と平行な縦隔壁３４ｂと、縦隔壁３４ｂに交差する横隔壁３４ａとにより井桁状に形成されている。また、縦隔壁３４ｂと横隔壁３４ａは高さが異なり、縦隔壁３４ｂは横隔壁３４ａより高くなっている。そして、縦隔壁３４ｂのうち金属電極であるバス電極が対向して交差する金属電極交差部５０は、その幅Ｓ１をそれ以外の箇所の幅Ｓ２より広くしている。
【００３４】
そのため金属電極交差部５０は、縦隔壁３４ｂの頂部の面積が他の箇所より広く、突出部４４と接触しても、突出部４４から受ける応力を低減することができる。その結果、ＰＤＰ１０に衝撃や振動が加わった場合にも、縦隔壁３４ｂの欠損の発生を抑制し、ＰＤＰ１０の点滅や不灯などの誤点灯の発生を抑制することができる。
【００３５】
図５は、本発明の第１の実施の形態のＰＤＰの隔壁の変形例を示す図である。図５に示すように、隔壁５４もデータ電極３２と平行な縦隔壁５４ｂと、縦隔壁５４ｂに交差する横隔壁５４ａとにより井桁状に形成されている。隔壁５４が隔壁３４と異なる点は、縦隔壁５４ｂの形状である。すなわち、縦隔壁５４ｂは、バス電極が対向して交差する金属電極交差部５５において底部の幅Ｓ３のみを、それ以外の箇所の底部の幅Ｓ４より広くしている。
【００３６】
このような構成のＰＤＰとすれば、金属電極による突出部と当接する金属電極交差部において強度を向上させることができる。また放電空間を広くすることができるため、より輝度の向上を図ることができる。
【００３７】
（第２の実施の形態）
図６は、本発明の第２の実施の形態のＰＤＰの隔壁の斜視図である。本発明の第２実施の形態のＰＤＰの主要な構成は、本発明の第１の実施の形態と同様であるため隔壁を除いてその説明を省略する。
【００３８】
図６に示すように、隔壁６４は、データ電極３２と平行な縦隔壁６４ｂと、縦隔壁６４ｂに交差する横隔壁６４ａとにより井桁状に形成されている。そして、横隔壁６４ａの高さを縦隔壁６４ｂの高さより高くしている。
【００３９】
このような構成のＰＤＰとすれば、横隔壁６４ａと前面板とが接触し、金属電極の突出部が縦隔壁６４ｂと接触することがない。したがって、隔壁６４をもっとも欠損させやすい金属電極の突出部が隔壁６４に接触することがないため、隔壁欠損が少ない、高品質な表示画像のＰＤＰを実現することができる。
【００４０】
なお、横隔壁６４ａは縦隔壁６４ｂより１０μｍ以内で高くするのであれば、蛍光体の塗布時に横隔壁６４ａが障害になることはなく、好ましくは２μｍから５μｍである。
【産業上の利用可能性】
【００４１】
本発明のＰＤＰによれば、隔壁の欠損を抑制して高品質の画像表示を実現するＰＤＰを提供することができ、大画面、高精細表示の画像表示装置などに有用である。
【図面の簡単な説明】
【００４２】
【図１】本発明の第１の実施の形態のＰＤＰの概略構成を示す断面斜視図
【図２】同ＰＤＰの放電セルの平面図
【図３】図２のＡ−Ａ線断面図
【図４】本発明の第１の実施の形態のＰＤＰの隔壁の斜視図
【図５】同ＰＤＰの隔壁の変形例を示す図
【図６】本発明の第２の実施の形態のＰＤＰの隔壁の斜視図
【符号の説明】
【００４３】
１０    ＰＤＰ
２０    前面板
２１    前面ガラス基板
２２    走査電極
２２ａ，２３ａ    透明電極
２２ｂ，２３ｂ    バス電極
２３    維持電極
２４    表示電極対
２５    ブラックストライプ
２６    誘電体層
２７    保護層
３０    背面板
３１    背面ガラス基板
３２    データ電極
３３    下地誘電体層
３４，５４，６４    隔壁
３４ａ，５４ａ，６４ａ    横隔壁
３４ｂ，５４ｂ，６４ｂ    縦隔壁
３５    蛍光体層
３５Ｒ    赤色蛍光体層
３５Ｇ    緑色蛍光体層
３５Ｂ    青色蛍光体層
４０    放電空間
４１    放電セル
４２    非放電領域
４３    放電ギャップ
４４    突出部
５０，５５    金属電極交差部
【図１】
2008123938.tif 000003
【図２】
2008123938.tif 000004
【図３】
2008123938.tif 000005
【図４】
2008123938.tif 000006
【図５】
2008123938.tif 000007
【図６】
2008123938.tif 000008